(57)【特許請求の範囲】
【請求項１】
コンピュータ実装方法であって、
プロセッサを使用して、標的コーティングから反射率および／または測色データを得ることであって、前記得られた反射率および／または測色データは、２つ以上の関連付けられたアレイを有し、前記２つ以上の関連付けられたアレイは、角度の一次アレイおよび波長の二次アレイを含む、ことと、
前記二次アレイによって前記得られた反射率および／または測色データをソートすることと、
前記プロセッサを使用して、前記得られた反射率および／または測色データから、
【数１】
0006290403.tif 000006
に従って、ピボット正規化反射率および／または測色データを計算することであって、Ｘは、特定のデータセット値であり、μは、ソートされた二次アレイ内の前記データセット値のサンプルまたは母集団平均であり、σは、前記ソートされた二次アレイ内の前記データセット値のサンプルまたは母集団標準偏差である、ことと、
前記プロセッサを使用して、前記ピボット正規化反射率および／または測色データに基づいて、前記標的コーティングと外観が同一であるかまたは実質的に類似するコーティング顔料着色を生成することであって、前記コーティング顔料着色を生成することは、前記標的コーティングに対して計算された前記ピボット正規化反射率および／または測色データを複数の既知のピボット正規化反射率および／または測色データと経験的に関連付けることと、前記関連付けることに基づいて、前記標的コーティングの少なくとも１つのテクスチャ特徴を予測することとを含む、ことと
を含む、方法。
【請求項２】
前記関連付けることに基づいて、前記標的コーティングの少なくとも１つのテクスチャ特徴を予測することは、少なくとも１つの経験的計算を使用して、前記関連付けることに基づいて、前記標的コーティングの少なくとも１つのテクスチャ特徴を予測することを含む、請求項１に記載の方法。
【請求項３】
システムであって、
データベースと、
前記データベースと通信しているプロセッサと
を備え、前記プロセッサは、
標的コーティングから反射率および／または測色データを得ることであって、前記得られた反射率および／または測色データは、２つ以上の関連付けられたアレイを有し、前記２つ以上の関連付けられたアレイは、角度の一次アレイおよび波長の二次アレイを含む、ことと、
前記二次アレイによって前記得られた反射率および／または測色データをソートすることと、
前記得られた反射率および／または測色データから、
【数２】
0006290403.tif 000007
に従って、ピボット正規化反射率および／または測色データを計算することであって、Ｘは、特定のデータセット値であり、μは、ソートされた二次アレイ内の前記データセット値のサンプルまたは母集団平均であり、σは、前記ソートされた二次アレイ内の前記データセット値のサンプルまたは母集団標準偏差である、ことと、
前記ピボット正規化反射率および／または測色データに基づいて、前記標的コーティングと外観が同一であるかまたは実質的に類似するコーティング顔料着色を生成することであって、前記コーティング顔料着色を生成することは、前記標的コーティングに対して計算された前記ピボット正規化反射率および／または測色データを複数の既知のピボット正規化反射率および／または測色データと経験的に関連付けることと、前記関連付けることに基づいて、前記標的コーティングの少なくとも１つのテクスチャ特徴を予測することとを含む、ことと
を行うようにプログラムされている、システム。
【請求項４】
前記プロセッサと通信している分光光度計をさらに備えている、請求項３に記載のシステム。
【請求項５】
装置であって、
標的コーティングから反射率および／または測色データを得る手段であって、前記得られた反射率および／または測色データは、２つ以上の関連付けられたアレイを有し、前記２つ以上の関連付けられたアレイは、角度の一次アレイおよび波長の二次アレイを含む、手段と、
前記二次アレイによって前記得られた反射率および／または測色データをソートする手段と、
前記得られた反射率および／または測色データから、
【数３】
0006290403.tif 000008
に従って、ピボット正規化反射率および／または測色データを計算する手段であって、Ｘは、特定のデータセット値であり、μは、ソートされた二次アレイ内の前記データセット値のサンプルまたは母集団平均であり、σは、前記ソートされた二次アレイ内の前記データセット値のサンプルまたは母集団標準偏差である、手段と、
前記ピボット正規化反射率および／または測色データに基づいて、前記標的コーティングと外観が同一であるかまたは実質的に類似するコーティング顔料着色を生成する手段であって、前記コーティング顔料着色を生成することは、前記標的コーティングに対して計算された前記ピボット正規化反射率および／または測色データを複数の既知のピボット正規化反射率および／または測色データと経験的に関連付けることと、前記関連付けることに基づいて、前記標的コーティングの少なくとも１つのテクスチャ特徴を予測することとを含む、手段と
を備えている、装置。
【請求項６】
前記関連付けることに基づいて、前記標的コーティングの少なくとも１つのテクスチャ特徴を予測する手段は、少なくとも１つの経験的計算を使用して、前記関連付けることに基づいて、前記標的コーティングの少なくとも１つのテクスチャ特徴を予測する手段を備えている、請求項５に記載の装置。
【請求項７】
ソフトウェアを含む非一過性コンピュータ読み取り可能な媒体であって、前記ソフトウェアは、
標的コーティングから反射率および／または測色データを得ることであって、前記得られた反射率および／または測色データは、２つ以上の関連付けられたアレイを有し、前記２つ以上の関連付けられたアレイは、角度の一次アレイおよび波長の二次アレイを含む、ことと、
前記二次アレイによって前記得られた反射率および／または測色データをソートすることと、
前記得られた反射率および／または測色データから、
【数４】
0006290403.tif 000009
に従って、ピボット正規化反射率および／または測色データを計算することであって、Ｘは、特定のデータセット値であり、μは、ソートされた二次アレイ内の前記データセット値のサンプルまたは母集団平均であり、σは、前記ソートされた二次アレイ内の前記データセット値のサンプルまたは母集団標準偏差である、ことと、
前記ピボット正規化反射率および／または測色データに基づいて、前記標的コーティングと外観が同一であるかまたは実質的に類似するコーティング顔料着色を生成することであって、前記コーティング顔料着色を生成することは、前記標的コーティングに対して計算された前記ピボット正規化反射率および／または測色データを複数の既知のピボット正規化反射率および／または測色データと経験的に関連付けることと、前記関連付けることに基づいて、前記標的コーティングの少なくとも１つのテクスチャ特徴を予測することとを含む、ことと
をプロセッサに行わせる、非一過性コンピュータ読み取り可能な媒体。
【発明の詳細な説明】
【技術分野】
【０００１】
（関連出願の引用）
本願は、米国仮出願第６１／９０１，４９８号（２０１３年１１月８日出願）に対する優先権を主張する。
【０００２】
（発明の分野）
本発明は、概して、分光光度角度および／または入射光源からのスペクトル反射率または測色情報を関連させ、未知の標的コーティング内で生じるテクスチャおよび／またはゴニオアパレント効果の両方に合致させる適切な顔料を識別するために、ピボット正規化を使用する、方法および装置に関する。
【背景技術】
【０００３】
より簡潔な解決策は、ユーザが、調合エンジンにトナーのサンプルセットを投入することを要求する一方、あまり簡潔ではない方法は、多くの場合、使用するトナーの事前決定されたサブセットを選択する。いずれのアプローチも、段階的方法を利用せず、したがって、多くの場合、非最適解決策をもたらす。これらの方法は、典型的には、ユーザにとって煩雑であり、ユーザに良好な解決策のための簡単化された方法を提供するための適切な「直感性」が不足している。加えて、本方法論の性質上、サンプルに合致させるために必要である、適切な顔料が、除外され得る。
【０００４】
調合または検索エンジン（または視覚プロセス）によって、適切な色マッチングを提供するために、サンプルの正確な顔料着色を決定することが、理想的である。オリジナルサンプルに、同一の顔料またはそれらの顔料の適切なオフセットを利用することが、調合または検索プロセスが、見掛け上の最適な解決策に到達することを可能にするであろうことが、明確に理解可能である。同様に、意図の有無を問わず、それらの顔料を利用から除外することは、準最適色マッチングをもたらすであろうことも明白である。
【０００５】
いくつかの調合エンジンおよび方法論は、同時に、種々のアルゴリズムによって、顔料選択および調合を包含することを試みる。歴史的には、顔料識別パッケージおよび調合エンジンは、主として、それらのユーザに調合および顔料情報を提供するために、「総当たり」的である、推測およびチェックタイプの方法を講じている。組み合わせアプローチ、すなわち、総当たり方法は、頻繁に使用される方法であり、ほぼ全ての利用可能な顔料が、最終マッチングにおいて所望される顔料の最終数を与えられると、全ての種々の組み合わせにおいて組み合わせられる。組み合わせアプローチは、種々の調合物を生成するために、クベルカ‐ムンク方程式またはその導関数を利用し得る。エンジンの速度を最適化するためのある条件が与えられると、いくつかの顔料の使用を制限するいくつかの方法が存在するが、最終結果は、これらの調合組み合わせは、次いで、サンプルに対して確認され、最も近くサンプルに合致する調合の選択（または単一）が、ユーザに提供される。サンプルと比較される合致の正確度を決定するために使用される、Ｄｅｌｔａ  Ｅまたは他の測色評価アルゴリズムの種々の形態が、存在する。
【０００６】
より簡潔な解決策は、ユーザが、調合エンジンにトナーのサンプルセットを投入することを要求する一方、あまり簡潔ではない方法は、多くの場合、使用すべきトナーの事前決定されたサブセットを選択する。いずれのアプローチも、段階的方法を利用せず、したがって、多くの場合、非最適解決策をもたらす。これらの方法は、典型的には、ユーザにとって煩雑であり、良好な解決策への簡単化された方法をユーザに提供するための適切な「直感性」を欠いていた。加えて、本方法論の性質上、サンプルに合致させるために必要である適切な顔料が除外され得る。
【０００７】
標準ポータブル分光光度計では、入射光は、概して、法線から４５度の角度に設定される。収集されることができる結果として生じるスペクトル反射率は、概して、入射光と同一平面内にあり、入射光源自体により近いだけではなく、反射角（入射光と同じで反対の角度）の両側においてである。
【０００８】
新しいポータブル分光光度デバイスは、膨大な数の角度色応答（スペクトル反射率）データを提供する。方位角、すなわち、平面外の角度を含む、いくつかの新しい角度の追加の他に、多くの機器はまた、標準とは異なる幾何学形状を伴う、追加の光源も提供する。例として、第２の照明器の入射光源は、法線から１５度に位置し得る。入射光および角度応答の複数の組み合わせは、両方とも少なすぎ、１回で取り扱うにはおよび多すぎる情報のあり、大量の分光光度データを生成し得る。しかしながら、意図的方法においてこれらのデータの全てを効率的に取り扱い、分析するための方法が、不足している。一方、新しい分光光度デバイスはまた、選択された照明条件に対して、分析されるサンプルのスペクトル応答の一部のみを捕捉する。
【０００９】
種々のテクスチャを表現する塗装されたサンプルまたは仮想サンプルを使用して、それらを未知のサンプルと比較する方策が、近年開発されている。これらの技法は、実質的なユーザの介入を要求し、有意に主観的であり、個人の技能に応じて、一貫性のない結果を生成する。
【００１０】
限定された多角度、利用可能なときは多平面、カメラの有無を問わないスペクトルデータ、色、またはその他を使用し、顔料特徴付けおよびサンプル特性のための改良および簡略化された結果を生成し得る簡略化されたアプローチが、速度および使用の容易さのために好ましい。調合エンジンまたは視覚色マッチングプロセスに供給されるべきサンプルの顔料着色を正確に決定し得る簡略化されたシステムを提供することは、速度および正確度を大きく改善させる。その同一の柔軟性のあるシステム内に調合エンジンを含むことは、性能、正確度、および簡易性をさらに改善させる。
【００１１】
したがって、分光光度計からのデータの全ておよびデータの特定の組み合わせを効率的に評価するために使用され得、特に、分析される未知の標的コーティングのテクスチャおよび／またはゴニオアパレント効果に関して、有意義な推定を可能にする、システムおよび方法の必要性がある。さらに、個々の角度スペクトル反射率および測色（例えば、ＸＹＺ、Ｌ＊ａ＊ｂ＊、Ｌ＊Ｃ＊ｈ＊等）応答が、独立したエンティティとしてだけではなく、デバイスから受信される他の応答（全ての応答または特定の選択された応答を問わず）に依存するエンティティとしても取り扱われるシステムおよび方法に対する必要性もある。したがって、本発明は、（自動車用再仕上げ用途等においてオフセットが要求される場合に）利用可能な顔料の同じまたはほぼ同じ性質を有する視覚マッチングプロセスのために、調合エンジンを有効にするか、または顔料を選択する手段を提供することを目標としている。
【発明の概要】
【課題を解決するための手段】
【００１２】
第１の側面では、本発明は、コンピュータ実装方法を提供する。本方法は、プロセッサを使用して、標的コーティングから反射率データを得ることと、プロセッサを使用して、得られた反射率データからピボット正規化反射率データを計算することとを含む。本方法はまた、プロセッサを使用して、ピボット正規化反射率データに基づいて、標的コーティングと外観が同一であるか、または実質的に類似するコーティング顔料着色を生成することも含む。
【００１３】
別の側面では、本発明は、システムを対象とする。本システムは、データベースと、データベースと通信するプロセッサとを含む。本プロセッサは、標的コーティングから反射率データを得ことと、得られた反射率データからピボット正規化反射率データを計算することと、ピボット正規化反射率データに基づいて、標的コーティングと外観が同一であるか、または実質的に類似するコーティング顔料着色を生成することとを行うようにプログラムされる。
【００１４】
別の側面では、本発明は、装置を提供する。本装置は、標的コーティングから反射率データを得る手段と、得られた反射率データからピボット正規化反射率データを計算する手段とを含む。本装置はまた、ピボット正規化反射率データに基づいて、標的コーティングと外観が同一であるか、または実質的に類似するコーティングの顔料着色を識別する手段も含む。
【００１５】
さらなる側面では、本発明は、プロセッサに、標的コーティングから反射率データを得ることと、得られた反射率データからピボット正規化反射率データを計算することと、ピボット正規化反射率データに基づいて、標的コーティングと外観が同一であるか、または実質的に類似するコーティング顔料着色を生成ふることとを行わせるためのソフトウェアを含む、非一過性コンピュータ読み取り可能な媒体を提供する。
【図面の簡単な説明】
【００１６】
【図１】図１は、本発明を利用して、標的複合コーティングのための顔料着色を計算するプロセスを例証する。
【００１７】
【図２】図２は、鏡面反射に関して、工業規格の６つの角度（−１５°、１５°、２５°、４５°、７５°、および１１０°）からの未加工（正規化されていない）スペクトル反射率データの実施例を例証する。
【００１８】
【図３】図３は、図２に示されるデータの「標準」正規化結果の実施例を例証する。
【００１９】
【図４】図４は、互に重なる図２に示されるデータの種々のピボット正規化された曲線の実施例を例証する。
【００２０】
【図５】図５は、平均および標準偏差が、関連付けられた情報の第１のアレイにわたって計算され、互に対してグラフ化されている、ピボット正規化反射率データの使用の実施例を例証する。
【００２１】
【図６】図６は、標的コーティングがゴニオアパレント効果を含むかどうかを予測するために、特定のセットの角度を使用する、ピボット正規化データの使用の実施例を例証する。
【００２２】
【図７】図７は、本発明による標的サンプルのコーティング混合物の、視覚的および／または分光光度的に独特であるかまたは顔料毎に区別可能である、異なるかまたは同じ光条件下の反射特性等の物理的性質属性を識別するために使用され得る、システムを例証する。
【発明を実施するための形態】
【００２３】
本明細書の説明は、概して、塗料またはコーティングについて言及するが、本デバイス、システム、および方法は、染色および工業コーティングを含む、他のタイプのコーティングにも適用されることを理解されたい。本発明の説明される実施形態は、限定として見なされるべきではない。本発明に準拠する方法は、アパレルおよびファッション製品のマッチングおよび／またはコーディネート等、種々の分野において実践され得る。本発明は、独立型ユニットであるか、または、例えば、インターネットもしくはイントラネット等のネットワークを介して、中央コンピュータと通信する１つ以上の遠隔端末もしくはデバイスを含み得るコンピュータシステムと使用されるか、またはその中に組み込まれ得る。したがって、本明細書に説明されるコンピュータまたは「プロセッサ」および関連する構成要素は、ローカルコンピュータシステムまたはリモートコンピュータもしくはオンラインシステム、またはそれらの組み合わせの一部であり得る。本明細書に説明されるデータベースおよびソフトウェアは、コンピュータ内部メモリ内または非一過性コンピュータ読み取り可能な媒体内に記憶され得る。
【００２４】
本発明は、概して、コーティングのスペクトル分析を対象とし、より具体的には、限定ではないが、金属顔料、光沢顔料、および／または特殊効果顔料を含む複合コーティング混合物を予測および調合するためのデバイス、方法、およびシステムを対象とする。
【００２５】
本発明は、概して、例えば、分光光度計によって測定されたスペクトル反射率に基づいてプロセッサを使用して計算されるピボット正規化データを使用して、硬化複合コーティング（例えば、塗料）混合物の物理的性質属性（そのような属性は、例えば、視覚的および／または分光光度的に独特であるか、または顔料毎に区別可能である、異なるか、または同じ光条件下の反射特性を含む）を識別するための、方法、システム、および装置に関する。加えて、または代替として、ピボット正規化データは、分光光度計からの測色応答に基づいて計算される。
【００２６】
ピボット正規化方法論を使用する目的は、多面的である。第１に、所与のシステム内で全ての利用可能な角度を使用するために、ピボット正規化は、代替双方向反射率分布関数（「ＢＲＤＦ」）タイプの分析を作成するために使用され得る。このタイプの分析は、ゴニオアパレントであるかどうかを問わず、特定のコーティング、テクスチャ、または顔料タイプの半球型「マップ」もしくは「フィンガプリント」を作成するために、任意の角度を除外せず、全ての角度を使用する。第２に、ピボット正規化は、意図的操作を達成するため、特定の組み合わせの角度のみを評価するために使用され得る。同様に、これは、標的コーティング内に特定のテクスチャまたは効果が含まれるか、含まれないかが追求されている場合、特定の単一角度または角度の組み合わせの特定の除外もしくは包含を含む。第３に、ピボット正規化は、受信されたスペクトル反射率値が、ある意味では不正確であるという潜在的仮定に適応し、それを補正するために使用され得る。スペクトル反射率データの不規則性または異常性に対するいくつかの潜在的理由は、小規模であるとしても、入射光角度の場所、入射光変動、開口サイズ、標的コーティング表面の非均一性等を含み得る。
【００２７】
図１は、本発明を利用して、標的複合コーティングのための顔料を計算するプロセスを例証する。ステップ１０において、データが、例えば、分光光度計から収集される。本発明のシステムおよび方法は、いくつかの方法で採用され得る。例えば、本システムおよび方法は、未加工データ、例えば、スペクトル反射率データおよび／または測色データ（例えば、ＸＹＺ、Ｌ＊ａ＊ｂ＊、Ｌ＊Ｃ＊ｈ＊等）ならびにすでに処理され得ているデータに使用され得る。処理されたデータは、限定ではないが、多次元幾何学データ、ベクトルデータ、未修正または修正済み鏡面反射スペクトル反射率データ等を含み得る。ピボット正規化を受けるデータは、オリジナルデータの機能性に基づく２つ以上の識別され、関連付けられたアレイを有し得る。本明細書において、関連付けられたアレイとは、コーティングに関連する情報のアレイ（または複数のアレイ）等、可変パラメータに従う、主として得られた値（ここでは、反射率）の分類を意味する。例えば、スペクトル反射率データは、角度および波長から成るアレイを有すると見なされ得る。別の実施例は、角度および参照タイプ（すなわち、Ｌ＊、ａ＊、またはｂ＊）の関数としての測色データを含む。２つを上回るアレイが存在する状況では、２つの種々のセットが、独立して試験され得るか、または種々のアレイは、２つのアレイのみに凝縮され得る。データセット内のアレイの最適なセットを選定するために、複合混合物内の色、テクスチャ、顔料着色、および全ての変形に関して、種々の潜在的な結果として生じるピボット正規化データセットと、アルゴリズムの所望される機能性に基づく最適条件との両方に対しするいくつかのシナリオに対して、試験が要求され得る。
【００２８】
図２は、工業規格の６つの角度からの未加工スペクトル反射率データの例を例証する。「標準」正規化状況において、プロセスの目標は、複数のデータセット（すなわち、異なる角度）からのデータの異なるスケールを、１つの共通スケールに調節すること、したがって、オリジナルデータセット間の関係分析および理解を可能にするシフトまたはスケーリングされたデータのセットを作成することである。「標準」正規化結果の例が、図２のデータに基づいて図３に例証される。本発明のピボット正規化の目標は、異なるスケールを共通スケールに整列させることではなく、オリジナルデータセット間、およびそれらの関連付けられた情報のアレイ間の類似性および差異についての改良された洞察を獲得するために、さらなる分離を生じさせることである。図４は、図２のデータに基づき、互に重なる種々のピボット正規化された曲線の例を例証する。見られ得るように、「標準」正規化方法とピボット正規化された方法との対比から、結果として生じる情報間に差異が存在する。図４では、グラフの分解能は、各曲線のｙ軸を整列させるのではなく、オーバーレイ方法を使用して説明されている。
【００２９】
図１のステップ１２において、データは、関連付けられた情報の二次アレイに基づいてソートされる。例えば、角度および波長の関連付けられたアレイを伴う未加工スペクトル反射率データを使用する場合、データは、個々の波長内の角度のスケール間の共通性を作成するために、波長によってソートされ得る。これは、個々の角度内の波長のスケール間で共通整列を作るために、角度によってソートする「標準」正規化方法と対照的である。最初に二次アレイ（例えば、波長）によってソートすることによって、第１のアレイ（例えば、角度）は、「共通性」を持つようになる。二次アレイの各セット内で、ステップ１４におけるピボット正規化計算は、標準形態をとり得る。正規化計算は、典型的には、以下となる。
【数１】
0006290403.tif 000002
【００３０】
式中、Ｘは、特定のデータセット値であり、μは、ソートされた二次アレイ内のデータセット値のサンプルまたは母集団平均であり、σは、ソートされた二次アレイ内のデータセット値のサンプルまたは母集団標準偏差である。ユーザは、どの情報がどのアレイの中にあるか、どの情報をツールが調節するであろうかを決定することができる。
【００３１】
データの第１のアレイにわたる標準偏差が、データの第２のアレイにわたるものよりもはるかに小さくなり得るという事実により、結果として生じるデータのピボット正規化されたセットは、有用な情報をもたらさないように考えられ得る。したがって、検査、分析、グラフ化等の分解能が不良である場合、詳細な特徴が、見逃され得る。したがって、検査、分析、グラフ化等の分解能は、分析の利益が確かであるように最適化され得る。
【００３２】
スペクトル反射率データを使用するとき、計算は、データの各二次アレイに基づいて、データの第１のアレイに対して個々に生じ得る。しかしながら、出力は、元々の２つの関連付けられたアレイとリンクされたままである。例えば、平均、中間、および合計等の統計が、多重アレイ計算されたピボット正規化データから単一アレイを作成するために使用され得る。さらに、個々の特定のアレイ値が、ピボット正規化された分析間で比較され得る。そのような状況の値は、最大または統計的に有意な特定のアレイ値に集中し、色および／またはテクスチャ情報の大部分は、視覚的または数値的に感知される。
【００３３】
図１のステップ１６において、ピボット正規化データからの計算されたピボット正規化値または統計値は、複合コーティング混合物におけるテクスチャ、一次フレークタイプ、または他の外観情報を識別するために、既知の特性とさらに経験的に関連付けられ得る。経験的方法を採用するために、ピボット正規化データが、経験的データセットに対して計算される。単一点へのデータの全ての所望される統計または数学的転換が採用され得るか、またはデータは、リンクされた情報の第１および第２のアレイの関数のままであり得る。種々の実施形態では、経験的データセットは、日常的状況において取り扱われる必要があるであろう、予期される混合物および色を表す。経験的データセットは、予測的相関ｙ＝ｆ（ｘ）を作成するために使用され得、式中、ｙは、標的コーティングに関する識別または定質的疑問に関する所望される特性を表し、ｆ（ｘ）は、ｘのある関数であり、式中、ｘは、関連付けられたアレイの特定のセットまたは複数のセットからのピボット正規化データからのピボット正規化計算値もしくは統計値を使用する、１つまたは複数の変数である。結果として生じる関数は、経験的データセットによって定義されるような線形または非線形であり得る。
【００３４】
図５は、ピボット正規化反射率データの使用の実施例を例証し、平均および標準偏差が、関連付けられた情報の第１のアレイにわたって計算され、互に対してグラフ化されている。結果として生じる相関は、特定の状況においてのみ着色アルミニウム顔料を使用する確率が高いことを示す一方、着色アルミニウム顔料の使用がないことは、有意に異なるグラフ表示を、したがって、関連付けられた確率も例示する。
【００３５】
図６は、標的コーティングがゴニオアパレント効果を含むかどうかを予測するために、特定のセットの角度を使用する、ピボット正規化データの使用の実施例を例証する。この場合、０．５またはそれ以上をもたらす、特定の角度に対するピボット正規化データから計算された範囲値が、ゴニオアパレント顔料を含まない可能性がより高いことを示す一方、０．２以下により近い計算された範囲値は、当該ゴニオアパレント顔料を含むより高い可能性を有する。
【００３６】
経験的相関が決定されると、これが、図１のステップ１８において、標的コーティングに対して予期された値を導出するために使用され得る。これは、ｘ（ピボット正規化データ等）に対する標的コーティングの値を使用し、ｙ（テクスチャ効果）に対する回答を計算することによって達成され得る。本明細書において、実施例は、ゴニオアパレント顔料の含有に関して与えられているが、本発明によると、ピボット正規化計算および経験的相関のために、最も重要な単一角度または角度の組み合わせを反復的に選定することによって、どのゴニオアパレント顔料がその顔料のどのサイズフレークであるかまで具体的な結果を導出し得る。角度比較およびそれらが組み合わせられるレベルの選択肢が、最良の可能な経験的相関をもたらすために使用され得る。経験的相関はまた、他の非ピボット正規化情報、例えば、単一角度測色データを含むことによって、改良され得る。
【００３７】
全体的「マップ」または「フィンガプリント」アプローチの品質および経験的相関アプローチの品質は、入力データの品質に依存し得る。入力データの品質は、機器の品質と、全体的マップまたは経験的相関に関する既知のもののセットを作成するために使用されるデータセットの品質とに依存し得る。機器からのデータまたは経験的データセットの任意の品質は、回答をもたらすであろうが、回答は、高品質の機器と、広く変動させられる、高品質の経験的データセットとの使用とともに改良され得る。
【００３８】
本明細書に説明される計算の全セットは、具体的かつ関連付けられたアレイ組み合わせの選択肢を促進するためだけではなく、ピボット正規化データを使用する経験的相関を導出し、次いで、使用するために要求される、計算の量を適応させるために、プロセッサと併せて使用され得る。
【００３９】
図７は、本発明による、標的サンプルのコーティング混合物の、視覚的および／または分光光度的に独特であるか、もしくは顔料毎に区別可能である、異なる、または同じ光条件下の反射特性等、物理的性質属性を識別するために使用され得る、システム９０を例証する。ユーザ９２は、分光光度計９６を動作させ、標的サンプル９８の性質を測定するために、グラフィカルユーザインターフェース等のユーザインターフェース９４を利用し得る。分光光度計９６からのデータは、パーソナルコンピュータ、モバイルデバイス、または任意のタイプのプロセッサ等、コンピュータ１００に伝達され得る。コンピュータ１００は、ネットワーク１０２を介して、サーバ１０４と通信し得る。ネットワーク１０２は、インターネット、ローカルエリアネットワーク、イントラネット、または無線ネットワーク等、任意のタイプのネットワークであり得る。サーバ１０４は、比較目的のために本発明の方法によって使用される、データおよび情報を記憶し得る、データベース１０６と通信する。データベース１０６は、例えば、クライアントサーバ環境内、または、例えば、クラウドコンピューティング環境等のウェブベースの環境内で利用され得る。本発明の方法の種々のステップが、コンピュータ１００および／またはサーバ１０４によって実施され得る。
【００４０】
別の側面では、本発明は、コンピュータまたはコンピュータシステムに、前述される方法を実施させるためのソフトウェアを含む、非一過性コンピュータ読み取り可能な媒体として実装され得る。本ソフトウェアは、プロセッサおよびユーザインターフェースが、前述される方法を実施することを可能にするために使用される、種々のモジュールを含むことができる。
前述される説明において開示される概念から逸脱することなく、修正が、本発明に成され得ることが、当業者によって容易に理解されるであろう。故に、本明細書に詳細に説明される特定の実施形態は、例証にすぎず、本発明の範囲を限定しない。
本明細書は、例えば、以下の項目も提供する。
（項目１）
コンピュータ実装方法であって、
プロセッサを使用して、標的コーティングから反射率および／または測色データを得ることと、
前記プロセッサを使用して、得られた反射率および／または測色データから、ピボット正規化反射率データを計算することと、
前記プロセッサを使用して、前記ピボット正規化反射率および／または測色データに基づいて、前記標的コーティングと外観が同一であるか、または実質的に類似するコーティング顔料着色を生成することと
を含む、方法。
（項目２）
関連付けられた情報の二次アレイに基づいて、前記得られたピボット正規化データをソートすることをさらに含む、項目１に記載の方法。
（項目３）
前記ピボット正規化データは、
【数２】
0006290403.tif 000003
に従って計算され、式中、Ｘは、特定のデータセット値であり、μは、前記ソートされた二次アレイ内の前記データセット値のサンプルまたは母集団平均であり、σは、前記ソートされた二次アレイ内の前記データセット値のサンプルまたは母集団標準偏差である、項目２に記載の方法。
（項目４）
前記コーティング顔料着色を生成することは、前記ピボット正規化データを複数の既知のデータと関連付けることと、前記関連付けることに基づいて、前記標的コーティングの少なくとも１つのテクスチャ特徴を予測することとを含む、項目１〜３のうちのいずれか１つに記載の方法。
（項目５）
前記ピボット正規化データを複数の既知のデータと関連付けることは、前記ピボット正規化反射率データを複数の既知のデータと経験的に関連付けることを含む、項目４に記載の方法。
（項目６）
前記関連付けることに基づいて、前記標的コーティングの少なくとも１つのテクスチャ特徴を予測することは、少なくとも１つの経験的計算を使用して、前記関連付けることに基づいて、前記標的コーティングの少なくとも１つのテクスチャ特徴を予測することを含む、項目４または５に記載の方法。
（項目７）
システムであって、
データベースと、
前記データベースと通信しているプロセッサと
を備え、前記プロセッサは、
標的コーティングから反射率および／または測色データを得ることと、
前記得られた反射率および／または測色データから、ピボット正規化反射率データを計算することと、
前記ピボット正規化反射率および／または測色データに基づいて、前記標的コーティングと外観が同一であるか、または実質的に類似するコーティング顔料着色を生成することと
を行うようにプログラムされている、システム。
（項目８）
前記プロセッサは、関連付けられた情報正規化の二次アレイに基づいて、前記得られたピボット正規化データをソートするようにさらにプログラムされている、項目７に記載のシステム。
（項目９）
前記ピボット正規化データは、
【数３】
0006290403.tif 000004
に従って計算され、式中、Ｘは、特定のデータセット値であり、μは、前記ソートされた二次アレイ内の前記データセット値のサンプルまたは母集団平均であり、σは、前記ソートされた二次アレイ内の前記データセット値のサンプルまたは母集団標準偏差である、項目８に記載のシステム。
（項目１０）
前記プロセッサと通信している分光光度計をさらに備えている、項目７から９のうちのいずれか１つに記載のシステム。
（項目１１）
装置であって、
標的コーティングから反射率および／または測色データを得る手段と、
前記得られたピボット正規化反射率および／または測色データから計算する手段と、
前記ピボット正規化データに基づいて、前記標的コーティングと外観が同一であるか、または実質的に類似するコーティング顔料着色を生成する手段と
を備えている、装置。
（項目１２）
関連付けられた情報正規化の二次アレイに基づいて、前記得られたピボット正規化データをソートする手段をさらに含む、項目１１に記載の装置。
（項目１３）
前記ピボット正規化データは、
【数４】
0006290403.tif 000005
に従って計算され、式中、Ｘは、特定のデータセット値であり、μは、前記ソートされた二次アレイ内の前記データセット値のサンプルまたは母集団平均であり、σは、前記ソートされた二次アレイ内の前記データセット値のサンプルまたは母集団標準偏差である、項目１２に記載の装置。
（項目１４）
前記コーティング顔料着色を生成する手段は、前記ピボット正規化データを複数の既知のデータと関連付ける手段と、前記関連付けることに基づいて、前記標的コーティングの少なくとも１つのテクスチャ特徴を予測する手段とを備えている、項目１１−１３のうちのいずれか１つに記載の装置。
（項目１５）
前記ピボット正規化データを複数の既知のデータと関連付ける手段は、前記ピボット正規化データを複数の既知のデータと経験的に関連付ける手段を備えている、項目１４に記載の装置。
（項目１６）
前記関連付けることに基づいて、前記標的コーティングの少なくとも１つのテクスチャ特徴を予測する手段は、少なくとも１つの経験的計算を使用して、前記関連付けることに基づいて、前記標的コーティングの少なくとも１つのテクスチャ特徴を予測する手段を備えている、項目１４または１５に記載の方法。
（項目１７）
ソフトウェアを含む非一過性コンピュータ読み取り可能な媒体であって、前記ソフトウェアは、
標的コーティングから反射率および／または測色データを得ることと、
前記得られたピボット正規化反射率および／または測色データから計算することと、
前記ピボット正規化データに基づいて、前記標的コーティングと外観が同一であるか、または実質的に類似するコーティング顔料着色を生成することと
をプロセッサに行わせる、非一過性コンピュータ読み取り可能な媒体。
【図１】
0006290403.tif 000010
【図２】
0006290403.tif 000011
【図３】
0006290403.tif 000012
【図４】
0006290403.tif 000013
【図５】
0006290403.tif 000014
【図６】
0006290403.tif 000015
【図７】
0006290403.tif 000016